(57)【要約】本発明は、光学的に変化する素子に関し、特に、銀行券、クレジットカード等を保障するための光学的に変化する保障要素、ならびにこのような光学的に変化する素子を備えたセキュリティ製品および箔、特にエンボス箔または貼付け箔に関するものである。この光学的に変化する素子は、干渉によって色ずれを生じる薄膜（８４，８５）、および／または反射層（８８）を備える。光学的に変化する素子はさらに、透明窓（８９ｂ）と、それぞれ局部的要素の形態の薄膜（８４，８５）および／または反射層（８８）、すなわち局部的薄膜要素または局部的反射要素とを備え、この、またはこれらの局部的要素が透明窓の表面領域を取り囲んでいる。
2005530187.tif 000002
【特許請求の範囲】
【請求項１】
光学的に変化する素子、特に銀行券、クレジットカード等を保障するための光学的に変化する保障素子であって、干渉によって色ずれを生じる薄膜および／または反射層を備えた光学的に変化する素子において、
透明窓と、それぞれが局部的要素の形態の、すなわち局部的薄膜要素または局部的反射層の形態の、薄膜および／または反射層とを有し、前記一つまたは複数の局部的要素が前記透明窓の表面領域を取り囲んでいることを特徴とする光学的に変化する素子。
【請求項２】
前記透明窓が、特に回折効果を生じさせるための回折構造を備えていることを特徴とする請求項１記載の光学的に変化する素子。
【請求項３】
前記光学的に変化する素子が、前記透明窓の表面領域上にも、前記局部的薄膜要素および／または前記局部的反射層の表面領域上にも延びる回折構造を備えていることを特徴とする請求項１記載の光学的に変化する素子。
【請求項４】
前記透明窓と前記局部的反射層および／または前記局部的薄膜要素との間に高低差があることを特徴とする請求項１記載の光学的に変化する素子。
【請求項５】
前記透明窓が局部的透明要素を備えていることを特徴とする請求項１記載の光学的に変化する素子。
【請求項６】
前記局部的透明要素が着色された透光性層を備えていることを特徴とする請求項５記載の光学的に変化する素子。
【請求項７】
前記局部的透明要素が分散特性を備えていることを特徴とする請求項５記載の光学的に変化する素子。
【請求項８】
前記局部的透明要素が、吸収層を備えているが隔離層は備えていないことを特徴とする請求項５記載の光学的に変化する素子。
【請求項９】
前記局部的透明要素が、隔離層を備えているが吸収層は備えていないことを特徴とする請求項５記載の光学的に変化する素子。
【請求項１０】
前記局部的薄膜要素が、吸収層および隔離層を備えていることを特徴とする請求項１記載の光学的に変化する素子。
【請求項１１】
前記局部的薄膜要素が、屈折率の異なる複数の層を備えていることを特徴とする請求項１記載の光学的に変化する素子。
【請求項１２】
前記局部的薄膜要素が透光性層を備えていることを特徴とする請求項１記載の光学的に変化する素子。
【請求項１３】
前記局部的薄膜要素が、反射層、特に金属層を備えていることを特徴とする請求項１記載の光学的に変化する素子。
【請求項１４】
前記局部的薄膜要素が、該局部的薄膜要素の表面領域を局部的にのみ覆う局部的反射層、特に金属層を備えていることを特徴とする請求項１記載の光学的に変化する素子。
【請求項１５】
前記光学的に変化する素子が、前記透明窓の表面領域上にも、前記局部的薄膜要素および／または前記局部的反射層の表面領域上にも延びる保護ラッカー層を備えていることを特徴とする請求項１記載の光学的に変化する素子。
【請求項１６】
前記光学的に変化する素子が、前記透明窓の表面領域上にも、前記局部的薄膜要素および／または前記局部的反射層の表面領域上にも延びる複製層を備えていることを特徴とする請求項１記載の光学的に変化する素子。
【請求項１７】
前記光学的に変化する素子が、前記透明窓の表面領域上にも、前記局部的薄膜要素および／または前記局部的反射層の表面領域上にも延びる接着性層を備えていることを特徴とする請求項１記載の光学的に変化する素子。
【請求項１８】
請求項１から１７のいずれか１項記載の光学的に変化する素子を備えたセキュリティ製品。
【請求項１９】
請求項１から１７のいずれか１項記載の光学的に変化する素子を含む箔、特にエンボス箔または貼付け箔。
【発明の詳細な説明】
【技術分野】
【０００１】
本発明は、光学的に変化する素子に関し、特に、銀行券、クレジットカード等を保障するための、干渉によって色ずれを生じる薄膜および／または反射層を備えた光学的に変化する素子に関するものである。本発明はさらに、このような光学的に変化する素子を備えたセキュリティ製品、特にエンボス箔または貼付け箔に関するものである。
【背景技術】
【０００２】
書類または製品の複製および不正使用を困難にし、でき得ればそれらを阻止するために、光学的に変化する素子が用いられることが多い。光学的に変化する素子は、書類、銀行券、クレジットカード、キャッシュカード等を保障するために用いられることが多い。
【０００３】
光学的に変化する素子の複製を困難にするために、干渉によって視角に応じた色ずれを生じる薄膜層配列を備えた光学的に変化する素子が知られている。
【０００４】
特許文献１には、透明なサブストレートを備えたセキュリティ製品が記載されており、このサブストレートの一方側には、視角に応じた知覚可能な色ずれを生じる薄膜が施されている。この薄膜は、透明なサブストレートに施される吸収層と、この吸収層に施される誘電体層とを備えている。上記吸収層は、下記の物質のうちの一つ、すなわち、クロム、ニッケル、パラディウム、チタン、コバルト、鉄、タングステン、モリブデン、酸化鉄またはカーボン、またはこれら物質の組合せからなる物質を含んでいる。上記誘電体層は、下記の物質のうちの一つ、すなわち、酸化ケイ素、酸化アルミニウム、弗化マグネシウム、弗化アルミニウム、弗化バリウム、弗化カルシウムまたは弗化リチウム、またはこれら物質の組合せからなる物質を含んでいる。
【０００５】
複製に対する保障レベルをさらに高めるために、透明なサブストレートの、上記薄膜側とは反対側において、回折模様が刻印される。この回折模様は、回折格子として作用するために、観察者は上記二次元模様による例えば三次元画像の幻影を見ることができる。
【０００６】
さらに、透明なサブストレートの、上記薄膜層が施されている側にも、刻印によって回折模様を施すことも提案されている。
【０００７】
これらの光学的に変化する素子の二つの具体例は、光学的に変化する素子の各場所において、薄膜層によって生成される光学的効果と、回折模様によって生成される光学的効果とが重なり合い、したがって全体として、偽造および複製が困難な光学的効果を生じる。
【０００８】
本発明は、特許文献２に記載された光学的に変化する素子に基づくものである。
【０００９】
この光学的に変化する素子は、互いに重ね合わされた関係で配置された複数の層を備えている。この光学的に変化する素子は、一方で、上述のような、視角に応じて色彩が変化する光学的効果を生じる薄膜を備えている。さらにこの光学的に変化する素子は、浮き彫り構造が刻印されている複製層を備えている。上記浮き彫り構造は、さらなる光学的効果、すなわちすでに上述した回折効果を生じさせるものであり、この回折効果によってホログラム等を現すことができる。この観点から、作成順に関して見れば、最初に薄膜層が複製層に施され、次いでその上に浮き彫り構造が刻印される。
【００１０】
特許文献２には、上述に代えて、薄膜構造によって生じる光学的効果と、浮き彫り構造によって生じる光学的効果とが互いに独立しているものも記載されている。これについては二つの態様が提案されている。
【００１１】
その第一は、回折によってホログラム映像を生成させる浮き彫り構造と色彩変化効果を生じさせる薄膜との間に不透明層を施すことが提案されている。浮き彫り構造は上記不透明層によって薄膜構造から仕切られている。第２の可能なオプションは、回折によってホログラム映像を生成させる浮き彫り構造と薄膜との間に、実質的に透明な２層またはそれ以上の層を配置することを含む。これらの層は、１層または複数の高屈折率層および接着性層を含むことが可能である。これらの層は、反射を高めるために、したがってホログラム画像が生じる浮き彫り構造の領域における光の強さを高めるために設けられる。
【００１２】
この観点から、このような光学的に変化する素子は、下記のようにして作成することができる。すなわち、先ずホログラム箔に模様を刻印する。つぎにこの箔に金属層を地域的に施す。次にこの薄膜に対し連続的に蒸着を施す。最後に金属層を全領域に施す。
【００１３】
さらなる可能性のあるオプションは、刻印可能なラッカー層を備えた、予め組み付けられた薄膜層配列を提供し、次いで浮彫り構造をラッカー層に刻印することを含む。このような予め組み付けられた薄膜層を、予め作成された微小構造に接着することが可能なこともさらに提案されている。
【００１４】
このように、特許文献２には、回折構造によって生じる光学的効果と薄膜構造によって生じる光学的効果とが互いに結合されたセキュリティ素子を用いることも、回折構造によって生じる光学的効果と薄膜構造によって生じる光学的効果とが互いに独立しているセキュリティ素子を用いることも記載されている。
【特許文献１】国際公開第０１／０３９４５Ａ１号パンフレット
【特許文献２】国際公開第０２／００４４５Ａ１号パンフレット
【発明の開示】
【発明が解決しようとする課題】
【００１５】
本発明の目的は、光学的に変化する素子の模造および複製を困難にして、セキュリティ製品の偽造防止性を改善することにある。
【課題を解決するための手段】
【００１６】
上記目的は、光学的に変化する素子によって、特に、銀行券、クレジットカード等を保障するための、干渉によって色ずれを生じる薄膜および／または反射層を備えた光学的に変化する保障素子によって達成され、この学的に変化する素子は、透明窓と、それぞれが局部的要素の形態の、すなわち局部的薄膜要素または局部的反射層の形態の薄膜および／または反射層とを有し、上記一つまたは複数の局部的要素が上記透明窓の表面領域を取り囲んでいる。上記目的はさらに、このような光学的に変化する素子を備えたセキュリティ製品および箔、特にエンボス箔または貼付け箔によって達成される。
【００１７】
本発明の光学的に変化する素子によれば、従来技術で知られている光学的に変化する素子よりも複製が実質的に困難であるという利点を有する。その結果、本発明による光学的に変化する素子を備えたセキュリティ製品の偽造防止性がかなり高められる。特に、サンドイッチ構造の表面要素に比較して、偽造防止性のレベルが著しく高められる。
【００１８】
例えば特許文献２に記載された光学的に変化する素子は、この特許文献２に作成可能な態様として記載されているように、薄膜箔に回折構造が刻印された刻印スタンプを用いて処理された、予め作成された薄膜箔によって模造することが可能である。本発明により構成された光学的に変化する素子は、局部的反射層および／または局部的薄膜要素によって取り囲まれた局部的窓の局部的形成が高度な技術的複雑性と出費とを必要とするので、もはや模造は不可能である。予め作成された薄膜箔に比較して、このように形成された局部的薄膜要素は、特定化された要素を表すので、予め作成された薄膜層配列から出発してこの光学的に変化する素子を模造することはもはや不可能である。
【００１９】
上述した個々の特許文献または互いに重なり合った表面要素を上回る利点は、防護されるべき素子全体への光学的統合と、この光学的に変化する素子に配置される模様、文字、コードを特定化しかつ目標を絞って使用し得る可能性の存在と、したがってさらなるセキュリティ特徴の具備と、特別に目標を絞った機能的窓の幾何学的配置（機械による判読可能性、個人データ等）と、局部的に配置される個々の要素の物理的、化学的特性（腐食、中間層の固着等）に関してよく調和し得る選択とにある。
【００２０】
本発明の有利な構成が従属請求項に記載されている。
【００２１】
もし上記光学的に変化する素子が、透明窓の表面領域上にも、局部的薄膜要素および／または局部的反射層の表面領域上にも延びる一つまたは複数の層を備えているとすれば、それは望ましいことである。そこで、この光学的に変化する素子が、透明窓の表面領域上にも、局部的薄膜要素および／または局部的反射層の表面領域上にも延びる保護ラッカー層および／または接着性層を備えているのが好ましい。その場合に、上記層は表面領域全体を覆うことができる。
【００２２】
もし透明窓の表面領域に、特に回折効果を生じる回折構造が施されていれば、偽造防止セキュリティのレベルを向上させることが可能である。このような回折構造によって例えばホログラムを生成させることができる。上記回折構造は上記透明窓の全表面領域を占めることが可能である。しかしながら、もし上記回折構造が上記透明窓の表面領域の一部分のみを占めていても、したがって、透明窓に関して局部的回折構造を形成していても、セキュリティ特徴の模造は困難である。この局部的施工は、或る環境下で透明窓とそれを取り囲む局部的要素との間の境界領域において滲み効果を生じさせることができる見当合せの不正確さが観察者にとってより容易に識別可能であることを意味する。
【００２３】
もし光学的に変化する素子が、透明窓の表面領域上にも、局部的薄膜要素および／または局部的反射層の表面領域上にも延びる回折構造を備えているとすれば、この光学的に変化する素子の模造はさらに可成困難になる。そこで、透明窓とそれを取り囲む一つまたは複数の要素との間の境界線上に回折構造が延びている。模造を試みた場合において、もしエンボススタンプを用いて上記境界線上に延びる回折構造の刻印を試みたとすると、この回折構造は、これらの種々の局部的要素（透明窓、局部的反射層、局部的薄膜要素）の層構造の差異によって異なる深さに刻印される。この態様では、例えばホログラムに生じる欠陥によって、回折構造によって表現されるホログラム内の少なくとも境界線が識別可能になる。したがって、模造における上記試みは観察者によって明確に識別可能になり、偽造であるとの特定が可能になる。
【００２４】
もし透明窓の表面領域と、反射層および／または局部的薄膜要素の表面領域との間に高低差が存在するならば、すなわち、これらの表面領域における光学的に変化する素子全体が種々の層厚さを備えているとすれば、上記効果は増大される。上記効果は、これらの領域に対する材料の選択（例えば硬度差）によって、および層の組成によって増大させることもできる。
【００２５】
もし上記透明窓が、特定の光学的特性を備えた局部的透明要素を有していれば有利である。これによって、異なる局部要素（局部的透明要素、局部的薄膜要素、局部的反射層）が互いに連続する。前記のように、サンドイッチ構造からなる公知の光学的に変わるセキュリティ素子よりも、本発明の光学的に変わるセキュリティ素子の方が模造を困難にする。上記局部的透明要素は、さらなるセキュリティ特徴として着色された透光性層を備えることができ、あるいは分散特性を示すことができる。
【００２６】
局部的透明要素を構成する場合の、製造技術的利益を享受し得る可能性のある態様は、上記局部的透明要素の表面領域に、すなわち透明窓に、吸収層を施すが、隔離層は施さないことを含む。これらの利益はさらに、上記局部的透明要素の表面領域に、隔離層を施すが、吸収層は施さないことによっても得られる。
【００２７】
局部的薄膜要素が吸収層および隔離層で形成されることが望ましい。さらに、この局部的薄膜要素が、交互に異なる屈折率を有する比較的多数の層で形成されることが可能である。
【００２８】
偽造防止性のレベルは、反射層、好ましくは金属層を備えた局部的薄膜要素によってさらに高めることができる。反射層は局部的薄膜要素の認識性を改善する。
【００２９】
あるいは、透光性層を有する局部的薄膜要素を備えることもできる。その場合、透光性層が着色されて、さらなるセキュリティ特徴を備えることは特に有利である。
【００３０】
もし局部的薄膜要素が、この局部的薄膜要素の表面領域局部的にのみ覆う局部的反射層、特に金属層を備えている場合には、この光学的に変化する素子の模造はさらに困難になるであろう。これにより、偽造防止性のレベルの向上に加えて、魅力的な装飾効果を得ることもできる。したがって、光学的に変化する素子のデザイン構成に関して多くの形状を採用することができる。
【００３１】
これらの利点は、局部的薄膜要素の表面領域を局部的にのみ覆う局部的回折構造を備えることによって得られる。
【００３２】
これら二つの対策、すなわち局部的反射層と局部的回折層とは、並列に埋め込むことができる。
【００３３】
形態要素である「局部的反射層を備えた局部的透明要素」、「局部的回折層を備えた局部的透明要素」および「局部的薄膜構造を備えた局部的透明要素」は必要に応じて組み合わせることができる。したがって、本発明による光学的に変化する素子は、変化可能なセキュリティ特徴の複数の組合せを有し、かつ多くの魅力的な構造的特徴を提供するものである。
【発明を実施するための最良の形態】
【００３４】
次に、添付図面を参照した多くの実施の形態によって本発明を説明する。
【００３５】
図１は光学的に変化する素子０の原理的構造を示す。
【００３６】
光学的に変化する素子０は、セキュリティ製品、例えば銀行券、クレジットカード、キャッシュカードまたは書類に貼り付けることを目的としている。この光学的に変化する素子は、物品、例えばＣＤまたは包装にセキュリティまたは真正性の証明を与えることを目的とすることもできる。
【００３７】
光学的に変化する素子０は、多くの異なる形態とすることができる。したがって、この光学的に変化する素子０は、例えば上述で特定された対象物の一つに貼り付けることを目的とするセキュリティ・スレッドとすることもできる。
【００３８】
図１は、担体１と五つの層２〜６を示している。この光学的に変化する素子０は、層２〜６で形成されている。層２は保護ラッカー層および／または剥離層であり、層３は吸収層であり、層４は隔離層である。層５は金属層またはＨＲＩ（高屈折率）層である。層６は接着性層である。
【００３９】
担体１は例えばＰＥＴからなる。この層は、製造技術の観点から見て光学的に変化する素子の作成に役立つ。この光学的に変化する素子を保障されるべき対象物に貼り付けたとき、またはその後に、担体１は剥がされる。したがって、図１は、光学的に変化する素子が箔、例えばエンボス箔または貼付け箔の一部である段階を示している。
【００４０】
光学的に変化する素子０が貼付け箔の一部である場合には、層２が接着性層を備えている。
【００４１】
原理的に、薄膜は、視角に応じて色ずれを生じる干渉層構造によって特徴付けられる。薄膜は、例えば高反射性の金属層を備えた反射要素の形で、または隣接する層に対して屈折率が高い（ＨＲＩ）または屈折率が低い（ＬＲＩ）透明な光学的分離層を備えた透光性要素の形態であってもよい。薄膜の基本構造は、吸収層（好ましくは３０％と６５％との間の透光性を備えた）と、色彩変化を生じさせる層（例えば1/4波長層または1/2波長層）と、反射層としての金属層または透光性層としての光学的分離層とを備えている。
【００４２】
層３，４，５、すなわち吸収層、隔離層および金属層またはＨＲＩ層は、干渉によって、視角に応じて色ずれを生じさせる薄膜を形成する。この点から、薄膜によって生じる色ずれは、人間の目で見ることができる光の範囲内にあることが好ましい。さらにこの薄膜は、光学的に変化する素子０の表面領域を地域的および模様形状に覆う局部的薄膜要素の形態を有する。
【００４３】
もし層５が、例えばアルミニウムからなる反射層である場合には、隔離層４の厚さは1/4波長条件が満足されるように選択される。もし層５が透光性層を備えている場合には、隔離層４は1/2波長条件を満足しなければならない。
【００４４】
局部的薄膜要素が、高屈折率層および低屈折率層の配列から形成されることは可能である。例えば局部的薄膜要素が３と９の間の層（奇数の薄膜層）または２と１０の間の層（偶数の薄膜層）から形成されることが可能である。層の数が増えるほど、色変化効果を生じさせる波長をよりシャープにすることができる。
【００４５】
局部的薄膜要素の一般的な層厚さの具体例、および局部的薄膜要素の層に原理的に用いることができる材料の具体例は、特許文献１の第５頁３０行目から第８頁５行目に開示されている。
【００４６】
層５は、局部的金属層またはＨＲＩ層の形態とすることができる。層５に関する材料は、例えばＡｌ，Ａｇ，Ｃｒ，Ｎｉ，Ｃｕ，Ａｕまたはこれら金属の組合せとすることができる。
【００４７】
さらに層５は、構造的表面を備えることができる。そこで層５は、回折構造、屈折構造（レンズ）、またはマクロ的構造を備えることができる。さらに、層５は、非構造的、鏡面反射的、または分散性表面を備えることができる。
【００４８】
この光学的に変化する素子０は、そこで局部的に設けられた層３，４，５および／または局部的反射層５のみによって形成される局部的薄膜要素を有する。これらの局部的要素は、光学的に変化する素子０内に形成されかつ層３，４，５が存在しない透明窓の表面領域を取り囲んでいる。
【００４９】
原理的には、図１に示された層のうちの一つまたは複数を除くことができる。さらに、光学的に変化する素子０は一つ又は複数のさらなる層を備えることもできる。
【００５０】
図２ａ〜図２ｃは、３種類の光学的に変化する素子１０，２０，３０をそれぞれ示す。光学的に変化する素子１０は三つの表面領域１１〜１３を備え、光学的に変化する素子２０は三つの表面領域２１〜２３を備え、光学的に変化する素子３０は三つの表面領域３１〜３３を備えている。
【００５１】
光学的に変化する素子１０，２０，３０の表面領域１２，２３，３１は、それぞれ局部的薄膜要素で覆われている。図２ａ〜図２ｃから明らかなように、局部的薄膜要素はどの場合においても地域的で模様形状の態様で形成されている。
【００５２】
この場合に、各局部的薄膜要素は透光性であっても反射性であってもよい。各表面領域内の局部的な、模様形状の、透光性でもあり反射性でもある構成は、さらなる魅力的な効果を得ることを可能にしている。さらに、表面領域１２，２３，３１は、回折構造を備えることもできる。
【００５３】
光学的に変化する素子１０，２０，３０の表面領域１２，２３，３１は、それぞれ局部的金属被膜で覆われている。これらの表面領域はまた回折構造を備えることもできる。
【００５４】
光学的に変化する素子１０，２０，３０の表面領域１２，２３，３１のそれぞれに透明窓が見える。これらの透明窓のそれぞれは局部的透明要素を備えている。この要素は、透明または透光性を有する（クリアラッカー成分、酸化物の、局部的に金属被膜で覆われた、分散性の、透光性有機および無機成分）。これらの表面領域も回折構造備えることができる。上記透明窓は、回折構造、屈折構造（例えばマイクロレンズ）、顕微鏡的構造（５μｍより大きい）または分散表面を備えることができる。その観点から、上述のように、回折構造が隣接する表面領域１２，２２，３１，３３内にそれぞれ延びていることは特に利点がある。さらに上記透明な要素を着色することも可能である。
【００５５】
図２ａおよび２ｂに示すように、上記透明窓が、単一の局部要素によって取り囲まれているのではないことも可能である。そうではなく、二つまたはそれ以上の局部的要素（局部的反射層、局部的薄膜要素）が連帯的に上記透明窓を取り囲むことも可能である。そこで、例えば図２ｃにおける表面３１の下半分が局部的薄膜要素によって形成され、かつ表面３１の上半分が局部的反射層によって形成されることも可能である。
【００５６】
概略的に示された図２ａから図２ｃまでの要素の構成は、互いに見当の合った関係で、かつ共通性に関して制限なしに実施することができ、グラフィック画像要素、文字数字、幾何学的記号、バーコードおよびランダムな模様、ならびにそれらの組合せを採用することができる。
【００５７】
図３は、透明窓を備えた光学的に変化する素子を構成するための可能な態様を示す。
【００５８】
図３は、担体３１と、五つの層３２〜３７と、二つの表面領域３９ａ，３９ｂとを示す。
【００５９】
層３２は、保護ラッカー層および／または剥離層であり、層３３は、例えば複製ラッカーによって形成された複製層である。層３５は金属層またはＨＲＩ（高屈折率）層である。層３６はエッチングレジストで形成される。層３７は接着性層である。
【００６０】
層構造を生成させるために、保護ラッカー層または剥離層３２、複製層３３および金属層３５が、担体３１の全表面領域に亘って施される。次に刻印工具を用いた回折構造を局部的に備えた層３５が設けられる。次に金属層３５にエッチングレジストが印刷されて、局部的な形状の層３６が形成される。
【００６１】
次に、エッチングレジストで覆われていない領域がエッチングにより除去される。
【００６２】
あるいは、レーザー切除、アーク侵食、プラズマ衝撃またはイオン衝撃のような削磨法によっても金属層３５を除去することができる。このような削磨法を用いれば、デジタル信号で記憶された画像、文字、コードを転写することができる。
【００６３】
このように局部的な層３５，３６間に設けられた中間スペースが透明窓を形成する。さらに、層３５，３６間にこのような態様で形成された中間スペースに局部的薄膜要素を導入して中間スペースの一部分のみを覆うことができる。この場合、適当な形状の蒸着マスクを用いた蒸着により、あるいは層の上に印刷することにより、局部的薄膜要素の層を中間スペースの領域に施すことができる。
【００６４】
図４は、透明窓の表面領域が隔離層を備えているが、吸収層は備えていない光学的に変化する素子を示す。
【００６５】
図４は、担体４１と、五つの層４２〜４７と、複数の表面領域４９ａ，４９ｂとを示す。
【００６６】
層４２は、保護ラッカー層および／または剥離層であり、層４３は吸収層である。層４４は隔離層である。層４６は金属層またはＨＲＩ（高屈折率）層である。層４７は接着性層である。
【００６７】
層構造を生成させるために、保護ラッカー層または剥離層４２および吸収層４３が、担体３１の全表面領域に亘って施される。この場合、吸収層４３は蒸着により、または印刷により施すことができる。
【００６８】
次に吸収層が表面領域４９ｂにおいて部分的に除去される。
【００６９】
上記吸収層の部分的除去は、ポジティブエッチングまたはネガティブエッチングにより行なわれる。そこで、この直接エッチングの場合には、印刷法によって、例えばローラを用いて、またはスクリーン印刷により、エッチング剤を施すことができる。エッチング工程後の洗浄作業により除去されるエッチングマスクを施すこともできる。
【００７０】
さらに、レーザー切除、アーク侵食、プラズマ衝撃またはイオン衝撃のような削磨法によっても吸収層を除去することができる。このような削磨法を用いれば、デジタル信号で記憶された画像、文字、コードを転写することができる。
【００７１】
吸収層を表面領域全体に亘って施す代わりに、層４２に吸収層を局部的に施すことも可能である。これは、パターン形状の蒸着マスクを用いた蒸着により、または層４２上への吸収層４３のパターン形状の印刷により行なうことができる。
【００７２】
ここでは局部的な形状の吸収層４３に対して、隔離層４４が表面領域全体に施される。吸収層を施す作業は、吸収層の表面領域全体に亘る例えば蒸着により、または印刷により行なうことができる。
【００７３】
上記作業の後、表面領域４９ａが、吸収層４３および隔離層４４を備えた薄膜で覆われる。上記薄膜は（光学的な分離層として作用するさらなる層が施された後に）、適当な光を当てると、干渉によって視角に応じて色ずれを生じる。表面領域４９ｂには吸収層４３が存在しないので、このような色ずれは生じない。
【００７４】
吸収層４３のみでなく、隔離層４４も吸収層４３に局部的に施すか局部的に除去するかが可能である。
【００７５】
一方では、局部的な形状の吸収層４３に対し隔離層４４を領域全体に亘って施し、次いで上述した方法（ポジティブエッチング、ネガティブエッチング、削磨）の一つにより、局部的な形状の吸収層に見当を合わせて隔離層を除去することもできる。
【００７６】
また、吸収層４３および隔離層４４を領域全体に亘って施し、次いで上述した方法（ポジティブエッチング、ネガティブエッチング、削磨）の一つにより、双方の層を一緒に除去することもできる。
【００７７】
また、印刷法によって、局部的な形状の吸収層に見当を合わせて隔離層を施すこともできる。
【００７８】
あるいは、透明窓の表面領域が、吸収層は備えるが、隔離層は備えない構成も可能である。
【００７９】
これは、例えば蒸着または印刷により吸収層が表面領域全体に亘って施されている場合に可能である。次に隔離層が印刷法によって局部的のみに施される。隔離層を表面領域全体に亘って施し、次いで上述した方法（ポジティブエッチング、ネガティブエッチング、削磨）の一つにより除去することも可能である。
【００８０】
また、隔離層または吸収層が、重ね刷りまたは重ね蒸着により、もはやその機能を果たすことができない、したがって「消失し」ように、厚さを変えられることも可能である。
【００８１】
ここで上述のように施されかつ構成された層４３および４４に層４６が施される。
【００８２】
もし層４６が反射層であれば、層４６が金属からなることが好ましい。この金属は着色されることも可能である。使用可能な金属は本質的に、クロム、アルミニウム、銅、鉄、ニッケルまたはこれら金属の合金である。
【００８３】
その場合に、反射層を形成する高輝度のまたは反射性の金属色素を次に施すことも可能である。
【００８４】
その場合の反射層は、透明窓の表面領域が反射層４６によって覆われないように局部的にのみ施される。ここでは先ず層４６が、例えば蒸着によって領域全体に亘って施され、次いで上述した方法（ポジティブエッチング、ネガティブエッチング、削磨）の一つにより除去することも可能である。蒸着マスクを用いた部分蒸着も可能である。もし反射層として金属色素が用いられるときには、その層は局部的に印刷され、これによって局部的反射層を生成する。
【００８５】
もし層４６が透光性層の形態である場合には、その層の材料として、酸化物、硫化物またはカルコゲニドのような特殊の材料を用いることができる。材料の選択に関して重要なことは、隔離層４４に用いられた材料に対して屈折率に差があることである。この差は０．２から０．５未満であってはならない。隔離層４４のために用いられた材料に応じて、より高い屈折率を有する材料、またはより低い屈折率を有する材料が隔離層４４のために用いられる。この場合、透光性層は、屈折率に関して上記条件を満足する接着性層によって形成することもできる。
【００８６】
前述した「消失効果」は透光性層を局部的に施すことによってさらに達成することができる。もし隔離層に、屈折率に関して上記条件を満足しない層（例えば接着性層）が接合されていると、隔離層の光学的厚さが増大して、干渉作用はもはや生じない。
【００８７】
図４に示されているように、表面領域４９ａ〜４９ｄにおける上記処理の結果、異なる局部的要素が生じる。
【００８８】
表面領域４９ａは透光性の局部的薄膜要素を備えている。表面領域４９ｂは局部的反射要素を備えている。表面領域４９ｃは反射性の局部的薄膜要素備えている。表面領域４９ｄは透明窓を形成する局部的透明要素を備えている。
【００８９】
ここで図５ａおよび図５ｂを参照して、光学的に変化する素子における透明な局部的層を生成させかつ作成するさらなる種々の可能性ある態様について説明する。
【００９０】
図５ａは、担体８１と、七つの層８２〜８９と、複数の表面領域８９ａ，８９ｂを示している。層８２は保護ラッカー層および／または剥離層である。層８３は複製層である。この場合、この層は省略することもできる。層８４は吸収層である。層８６は代替層である。層８８は金属層である。層８９は接着性層である。
【００９１】
層８２，８３，８４，８５，８８および８９は、図３および図４に示された実施の形態で説明された構成を有し、前述のように担体８１に施される。
【００９２】
層８６は透光性または透明な材料で形成されている。例えばクリアラッカー組成物も、酸化物の、部分的に金属化された、分散した透光性有機または無機組成物も層８６のための材料として用いることができる。層８６は例えば印刷によって層８３に施される。図３および図４に示された実施の形態で説明された方法も、局部的層８６の形成に利用することができる。
【００９３】
層８６について用いられた材料は、隔離層８５について用いられた材料と同じ材料を用いることもできる。
【００９４】
図５ｂは、担体９１と、七つの層９２，９３，９４，９５，９６，９８および９９と、回折構造９７と、複数の表面領域９９ａ，９９ｂを示している。層９２は保護ラッカー層および／または剥離層である。層９３は複製層である。層９４は吸収層である。層９６は局部的透明要素を形成する。層９８は金属層である。層９９は接着性層である。
【００９５】
層９２，９３，９４，９５，９８よび９９は、図３および図４に示された実施の形態に記載された構成を有し、前述のように担体９１に施される。層９６は図５ａについて説明したような構成を有する。
【００９６】
層９４および／または９６の形成に先立って、刻印工具または上述した工程のうちの一つによって回折構造９７が層９３の表面に施される。図５ｂから明らかなように、この場合の回折構造９７は、局部的な透明要素で覆われる表面領域と、局部的な透明要素で覆われない表面領域との双方に施すことができる。
【００９７】
図６および図７は、局部的な透明要素に局部的回折構造と局部的薄膜要素と局部的反射層とを組み合わせることが可能な態様を示す。
【００９８】
図６は、担体１０１と、九つの層１０２〜１０９と、複数の表面領域１０９ａ〜１０９ｄとを示している。層１０２は保護ラッカー層および／または剥離層である。層１０３は複製層である。層１０４は吸収層である。層１０６および１０７ａは局部的透明層を形成し、層１０７は局部的反射層を形成する。層１０８は金属層である。層１０９は接着性層である。
【００９９】
層１０２，１０３，１０４，１０５，１０８よび１０９は、図３および図４に示された実施の形態に記載された構成を有し、前述のように担体１０１に施される。
【０１００】
代替層１０７は図３に示された実施の形態で説明したような構成を有する。層１０６および１０７ａは透光性材料で形成される。これらは図５ａおよび図５ｂについて説明したような構成を有する。
【０１０１】
図６から明らかなように、表面領域１０９ｂ，１０９ｄおよび１０９ｅにおいては層１０３にさらに回折構造が施されている。
【０１０２】
したがって、図６に示された光学的に変化する素子は、表面領域１０９ｄと、或る状況下での（層１０８の厚さに左右される）表面領域１０９ａとに、局部的なお透明要素を備えている。この光学的に変化する素子は、表面領域１０９ｃに局部的薄膜要素を備えている。この光学的に変化する素子は、表面領域１０９ｂおよび１０９ｅに局部的反射要素を備えている。
【０１０３】
図７は、担体１１１と、八つの層１１２〜１１９と、複数の表面領域１１９ａ，１１９ｂとを示している。層１１２は保護ラッカー層および／または剥離層である。層１１３は複製層である。層１１４は吸収層である。層１１７は隔離層である。層１１６はエッチングレジストである。層１１５および１１８は金属層である。層１１９は接着性層である。層１１７は接着性層１１９と同じ材料で形成可能な充填層である。
【０１０４】
層１１２，１１３，１１４，１１７，１１８よび１１９は、図３および図４に示された実施の形態に記載された構成を有し、前述のように担体１１１に施される。
【０１０５】
図７から明らかなように、表面領域１１９ｃおよび１１９ｄにおいては層１１３にさらに回折構造が施されている。
【０１０６】
したがって、図７に示された光学的に変化する素子は、表面領域１１９ａに局部的な透明要素を備えている。この光学的に変化する素子は、表面領域１１９ｄに局部的薄膜要素を備えている。この光学的に変化する素子は、表面領域１１９ｂおよび１１９ｃに局部的反射層を備えている。
【０１０７】
上述の可能性のある態様は、局部的透明窓、局部的薄膜要素、局部的構造（例えば回折構造）、局部的金属層のような個々の要素を、連続した、または入り混じった図柄の形態でいかなる部分においても±０．２ｍｍまでの位置の正確さをもって適切に形成することができる。
【図面の簡単な説明】
【０１０８】
【図１】光学的に変化する素子の断面図を示す。
【図２】図２ａは本発明による光学的に変化する素子の第１の実施の形態を示し、図２ｂは本発明による光学的に変化する素子の第２の実施の形態を示し、図２ｃは本発明による光学的に変化する素子の第３の実施の形態を示す。
【図３】本発明による光学的に変化する素子のさらなる実施の形態の断面図を示す    。
【図４】本発明による光学的に変化する素子のさらなる実施の形態の断面図を示す    。
【図５】図５ａ〜図５ｃは本発明による光学的に変化する素子のさらなる実施の形態の断面図を示す。
【図６】図６は本発明による光学的に変化する素子のさらなる実施の形態の断面図を示す。
【図７】本発明による光学的に変化する素子のさらなる実施の形態の断面図を示す。
【符号の説明】
【０１０９】
３１，４１，８１，９１，１０１，１１１    担体
３２，４２，８２，９２，１０２，１１２    保護ラッカー層
３３，８３，９３，１０３，１１３    複製層
３５，４６，８８，９８，１０８，１１８    金属層
３７，４７，８９，９９，１０９，１１９    接着性層
４３，８４，９４，１０４，１１４    吸収層
４４，１１７    隔離層
８６    代替層
９７，１１４ａ，１１５ａ    回折構造
【図１】
2005530187.tif 000003
2005530187.tif 000004
【図３】
2005530187.tif 000005
【図４】
2005530187.tif 000006
2005530187.tif 000007
【図６】
2005530187.tif 000008
【図７】
2005530187.tif 000009
【国際調査報告】
2005530187.tif 000010
2005530187.tif 000011
2005530187.tif 000012
2005530187.tif 000013